(57)【要約】【課題】接続先の装置の数の変動により交換機側の信号の入出力経路の追加等を行う場合においても、装置の大型化等が生じることなく対応することが可能な加入者振り分け装置を得る。【解決手段】加入者振り分け装置を、第１のスイッチ手段７１と、時分割スイッチ手段７２と、第２のスイッチ手段７３とを備える構成とする。第１のスイッチ手段７１は、交換機側の複数の入力経路から入力される信号に含まれる各データに割り当てられているタイムスロットを変換した上で１つの信号にして第１のハイウェイに出力する。時分割スイッチ手段７２は、第１のハイウェイを介して入力される信号を分離し、分離した前記信号に含まれるデータの順番を所定の順番に並び替えて多重化して第２のハイウェイへと出力する。第２のスイッチ手段７３は、第２のハイウェイを介して入力される信号を分離して加入者収容装置側の各経路へと出力する。【選択図】      図６
2015019208.tif 000002
【特許請求の範囲】
【請求項１】
交換機側の複数の入力経路から入力される信号に含まれる各データに割り当てられているタイムスロットを変換した上で１つの信号にして第１のハイウェイに出力する第１のスイッチ手段と、
前記第１のハイウェイを介して入力される信号を分離し、分離した前記信号に含まれるデータの順番を所定の順番に並び替えて多重化して第２のハイウェイへと出力する時分割スイッチ手段と、
前記第２のハイウェイを介して入力される信号を分離して加入者収容装置側の各経路へと出力する第２のスイッチ手段と
を備えることを特徴とする加入者振り分け装置。
【請求項２】
前記第１のスイッチ手段は、出力を行う順番が回ってきた前記入力経路の信号の該当するタイムスロットにデータが含まれていないとき、次の順番の前記入力経路の信号のデータの出力動作を行うことを特徴とする請求項１に記載の加入者振り分け装置。
【請求項３】
交換機側の複数または単数の入力経路から入力される信号を多重化された信号として出力する第３のスイッチ手段をさらに備え、
前記第３のスイッチ手段から出力された信号が前記第１のスイッチ手段に入力されることを特徴とする請求項１または２いずれかに記載の加入者振り分け装置。
【請求項４】
交換機側の前記入力経路を介して入力される試験信号を受信し、前記試験信号に対する応答信号を送信する試験信号処理手段をさらに備えることを特徴とする請求項１から３いずれかに記載の加入者振り分け装置。
【請求項５】
複数の交換機と、複数の加入者収容装置と、請求項１から請求項４いずれかに記載の加入者振り分け装置とを備え、
前記交換機から前記加入者振り分け装置に通信回線を介して信号が入力され、
前記加入者振り分け装置から出力された信号が前記加入者収容装置に通信回線を介して入力されることを特徴とする通信システム。
【請求項６】
複数の交換機と、請求項４に記載の加入者振り分け装置とを備え、
前記交換機は試験信号を送信する手段と、前記試験信号に対する応答信号を受信する手段と、受信した前記応答信号を基に回線の異常の有無を判断する手段とを有し、
前記交換機からの前記試験信号が通信回線を介して前記加入者振り分け装置に入力され、前記試験信号を受信した前記加入者振り分け装置からの前記応答信号が前記通信回線を介して前記交換機に入力されることを特徴とする通信システム。
【請求項７】
交換機側の複数の入力経路から入力される信号に含まれる各データに割り当てられているタイムスロットを変換した上で１つの信号にして第１のハイウェイに出力し、
前記第１のハイウェイを介して入力される信号を分離し、分離した前記信号に含まれるデータの順番を所定の順番に並び替えて多重化して第２のハイウェイへと出力し、
前記第２のハイウェイを介して入力される信号を分離して加入者収容装置側の各経路へと出力することを特徴とする加入者振り分け装置の信号処理方法。
【請求項８】
出力を行う順番が回ってきた前記入力経路の信号の該当するタイムスロットにデータが含まれていないとき、次の順番の前記入力経路の信号のデータの出力動作を行うことを特徴とする請求項７に記載の加入者振り分け装置の信号処理方法。
【請求項９】
交換機側の複数または単数の入力経路から入力される信号を多重化された多重化信号として出力し、
前記多重化信号を交換機側の他の入力経路から入力される信号とさらに時分割多重化して第１のハイウェイへと出力することを特徴とする請求項７または８いずれかに記載の加入者振り分け装置の信号処理方法。
【発明の詳細な説明】
【技術分野】
【０００１】
本発明は、通信技術に関するものであり、特に信号の振り分け装置の技術に関するものである。
【背景技術】
【０００２】
電話機等の端末装置は通信ネットワーク上の各装置によって信号の振り分けが行われることにより他の端末装置との通信を行うことができる。通信ネットワークが電話機を端末装置とした電話ネットワークの場合、端末装置である個々の電話機は電話回線を介して加入者収容装置に接続されている。電話ネットワークでは、個々の電話機の電話回線が収容されている加入者収容装置間で交換機を介した信号の送受信が行われることにより、双方の電話機の利用者が通話することができる。加入者収容装置と交換機の間には信号の振り分けを行う加入者振り分け装置が設置されている。加入者振り分け装置は、電話機が接続されている加入者収容装置側からの信号を通話先の電話回線に対応する交換機へ送信する。また、加入者振り分け装置は交換機側からの信号を通話先の電話回線が収容されている加入者収容装置へと送信する。このように、双方向からの信号を加入者振り分け装置が所定の送信先への経路に振り分けることにより、電話機での通話が可能となっている。
【０００３】
加入者振り分け装置では内部に有する時分割スイッチにより信号の振り分けが行われる。加入者振り分け装置には加入者収容装置側または交換機側から時分割多重化された信号が入力される。加入者振り分け装置に入力された多重化された信号は、装置内のハイウェイを通って時分割スイッチに入力される。時分割スイッチに入力された信号は分離された後、宛先ごとに振り分けが行われ、宛先ごとの信号が多重化されて対応する交換機へのハイウェイへと出力される。時分割スイッチから出力された信号はハイウェイを通って、加入者振り分け装置から出力され、加入者収容装置または交換機へと送られる。
【０００４】
加入者収容装置に接続されている電話回線の数は、通信手段の多様化や地域の人口変化等により変動することが多い。そのため、加入者振り分け装置に接続される加入者収容装置や交換機の数も変動することが多い。加入者振り分け装置に接続される加入者収容装置や交換機の数が変動すると、入力された信号を時分割スイッチへ送るハイウェイの数や時分割スイッチからの出力先となるハイウェイの数も変動することになる。よって、加入者収容装置や交換機が追加された場合などには、加入者振り分け装置内のハイウェイ等の数を増やさなければならず、大規模な装置構成の変更の必要性が生じ得る。また、将来的なハイウェイ等の追加を想定した場合は、その分の空間を確保するために装置を大きく設計する必要も生じ得る。しかし、大型化によって装置が占有する空間が増大することや大規模な装置構成の変更による作業数や費用等の増加は望ましくない。そのため、加入者振り分け装置は接続される加入者収容装置や交換機の数が変動しても、大規模な構成の変更や大型化を必要とせずに接続される装置の数の変更に対応できることが望ましい。加入者収容装置の数の変更に容易に対応することのできる加入者振り分け装置に関する技術としては、例えば、特許文献１のような技術が開示されている。
【０００５】
特許文献１には、複数の加入者収容装置とネットワーク部、すなわち、加入者振り分け装置の間に設置し、一方の装置から入力された信号を時分割スイッチで多重化してもう一方の装置へと送る通信装置が開示されている。特許文献１では、加入者の増加等により増設された加入者収容装置に対応して増設される時分割スイッチの接続の形態が示されている。特許文献１では、増設する時分割スイッチのネットワーク部側の回線を、既に設置されている時分割スイッチの加入者収容装置側のポートに接続することもできるとしている。特許文献１では、そのような多段的に接続された時分割スイッチを有するような構成とすることにより、加入者収容装置側からネットワーク部、すなわち、加入者振り分け装置へのハイウェイの本数を最小限にすることができるとしている。特許文献１では、その結果、ネットワーク部の効率の向上や設備費用の抑制が可能になるとしている。
【先行技術文献】
【特許文献】
【０００６】
【特許文献１】特開２０００−２２４６２５号公報
【発明の概要】
【発明が解決しようとする課題】
【０００７】
しかしながら、特許文献１に開示された技術は次のような点において十分ではない。特許文献１では、加入者収容装置から交換機まで信号の伝送経路のうち、加入者収容装置からネットワーク部、すなわち加入者の振り分けを行う加入者振り分け装置までの間の構成についてのみ開示されている。しかし、加入者振り分け装置から交換機の間についても、何らかの対応が行われないと、交換機の数の増加等に応じて装置や回線を増やす必要がある。交換機の数の増大等に応じて回線や回路を増やすと、装置の大型化や費用の増大が生じ得る。また、装置の大きさの制限等から新たな回線や回路を装置内部に設置出来ない可能性もある。よって、特許文献１に記載された技術は、加入者振り分け装置において接続先の装置の数が増える場合に生じ得る装置の大型化等を抑制するための技術として十分ではない。
【０００８】
本発明は、接続先の装置の数の変動により交換機側の信号の入出力経路の追加等を行う場合においても、装置の大型化等が生じることなく対応することが可能な加入者振り分け装置を得ることを目的としている。
【課題を解決するための手段】
【０００９】
上記の課題を解決するため、本発明の加入者振り分け装置は、第１のスイッチ手段と、時分割スイッチ手段と、第２のスイッチ手段とを備えている。第１のスイッチ手段は、交換機側の複数の入力経路から入力される信号に含まれる各データに割り当てられているタイムスロットを変換した上で１つの信号にして第１のハイウェイに出力する。時分割スイッチ手段は、第１のハイウェイを介して入力される信号を分離し、分離した前記信号に含まれるデータの順番を所定の順番に並び替えて多重化して第２のハイウェイへと出力する。第２のスイッチ手段は、第２のハイウェイを介して入力される信号を分離して加入者収容装置側の各経路へと出力する。
【００１０】
本発明の加入者振り分け装置の信号処理方法は、交換機側の複数の入力経路から入力される信号に含まれる各データに割り当てられているタイムスロットを変換した上で１つの信号にして第１のハイウェイに出力する。本発明の加入者振り分け装置の信号処理方法は、第１のハイウェイを介して入力される信号を分離し、分離した信号に含まれるデータの順番を所定の順番に並び替えて多重化して第２のハイウェイへと出力する。また、本発明の加入者振り分け装置の信号処理方法は、第２のハイウェイを介して入力される信号を分離して加入者収容装置側の各経路へと出力する。
【発明の効果】
【００１１】
本発明によると、加入者振り分け装置への交換機側からの信号の入力経路の追加等を行う場合においても回線や回路の追加による装置の大型化を抑制することができる。
【図面の簡単な説明】
【００１２】
【図１】本発明の第１の実施形態の構成の概要を示す図である。
【図２】本発明の第１の実施形態における時分割スイッチの構成の概要を示す図である。
【図３】本発明の第１の実施形態における信号の伝送方法の例を示す図である。
【図４】本発明の第１の実施形態における信号の伝送方法との比較方法を示す図である。
【図５】本発明の第２の実施形態の構成の概要を示す図である。
【図６】本発明の第３の実施形態の構成の概要を示す図である。
【発明を実施するための形態】
【００１３】
本発明の第１の実施形態について図を参照して詳細に説明する。図１は本実施形態の加入者振り分け装置の構成の概要を示したものである。本実施形態の加入者振り分け装置１０は加入者インタフェース回路１１と、加入者側スイッチインタフェース回路１２と、時分割スイッチ１３と、交換機側スイッチインタフェース回路１４と、交換機インタフェース回路１５を備えている。加入者インタフェース回路１１および交換機インタフェース回路１５はそれぞれ接続されている加入者収容装置３１または交換機３２の数に応じて複数備えられている。また、加入者インタフェース回路１１と加入者側スイッチインタフェース回路１２の間はスイッチインタフェース接続ハイウェイ２３で接続されている。加入者側スイッチインタフェース回路１２と時分割スイッチ１３の間は時分割スイッチ接続ハイウェイ２４で接続されている。時分割スイッチ１３と交換機側スイッチインタフェース回路１４の間は時分割スイッチ接続ハイウェイ２５で接続されている。交換機側スイッチインタフェース回路１４と交換機インタフェース回路１５の間はスイッチインタフェース接続ハイウェイ２６で接続されている。また、加入者インタフェース回路１１は、加入者装置対向ハイウェイ２１を介して加入者収容装置３１と接続している。交換機インタフェース回路１５は交換機対向ハイウェイ２２を介して交換機３２と接続している。また、各ハイウェイは時分割多重化された信号を伝送する機能を有する。
【００１４】
加入者インタフェース回路１１は、加入者装置対向ハイウェイ２１側から入力された信号を加入者振り分け装置１０で使用される所定の信号に変換する機能を有する。また、加入者インタフェース回路１１は、加入者側スイッチインタフェース回路１２から送られてくる信号を、加入者装置対向ハイウェイ２１で使用される所定の信号に変換する機能を有する。加入者インタフェース回路１１がどちらの信号変換機能を有するかは、信号を伝送する方向に基づいて設定される。
【００１５】
加入者側スイッチインタフェース回路１２は加入者側集線スイッチ４１を備えている。加入者側集線スイッチ４１は、加入者インタフェース回路１１側から信号が入力されたときは、各経路からの信号を多重化して出力する機能を有する。加入者側集線スイッチ４１による信号の多重化の前後においてビットレートに変動はない。すなわち、スイッチインタフェース接続ハイウェイ２３と時分割スイッチ接続ハイウェイ２４での信号のビットレートは同じである。また、時分割スイッチ１３側から信号が入力されたときは、加入者側集線スイッチ４１は信号を分離して各経路へと出力する機能を有する。加入者側集線スイッチ４１による信号の分離が行われる前後でビットレートの変動はない。加入者側スイッチインタフェース回路１２が信号の多重化と分離のどちらの機能を有するかは、信号を伝送する方向に基づいて設定される。
【００１６】
図２は時分割スイッチ１３の構成の概要を示している。図２に示すように、時分割スイッチ１３は、第１のスイッチ部５１と、メモリ部５２と、第２のスイッチ部５３と、制御部５４とを備えている。第１のスイッチ部５１はスイッチ素子の切り替えによりメモリ部５２の各メモリ素子へ入力される信号の経路を切り替える機能を有する。メモリ部５２は入力された信号のデータを保存する機能を有する。第２のスイッチ部５３はスイッチ素子の切り替えによりメモリ部５２の各メモリ素子と出力側との経路を切り替える機能を有する。制御部５４はメモリ部５２の各メモリ素子に保存されたデータの宛先を読み取り、宛先に対応したタイムスロットに合わせて第２のスイッチ部５３のスイッチを切り替えることによりメモリ部５２からデータの出力を行う機能を有する。
【００１７】
交換機側スイッチインタフェース回路１４は、交換機側集線スイッチ４２を備えている。交換機側集線スイッチ４２の機能は加入者側集線スイッチ４１と同様である。すなわち、交換機インタフェース回路１５側から信号が入力されるときは、交換機側集線スイッチ４２は複数の経路から入力される信号を多重化して出力する。また、時分割スイッチ１３側から信号が入力されるときは、交換機側集線スイッチ４２は信号を分離して各経路へと出力する。交換機側集線スイッチ４２の前後においても信号のビットレートに変動はない。すなわち、時分割スイッチ接続ハイウェイ２５とスイッチインタフェース接続ハイウェイ２６での信号のビットレートは同じである。
【００１８】
交換機インタフェース回路１５は、交換機対向ハイウェイ２２を介して入力された信号を加入者振り分け装置１０内で使用される所定の信号に変換する機能を有する。また、交換機インタフェース回路１５は、交換機側スイッチインタフェース回路１４から送られてくる信号を、交換機対向ハイウェイ２２で使用される所定の信号に変換する機能を有する。交換機インタフェース回路１５がいずれの信号変換機能を有するかは、信号を伝送する方向に基づいて設定される。
【００１９】
複数の交換機３２からの信号が加入者振り分け装置１０に入力され、加入者振り分け装置１０で信号の宛先に応じた所定の経路に振り分けられて、加入者収容装置３１に信号が送られる際の動作について説明する。
【００２０】
交換機３２から交換機対向ハイウェイ２２を介して加入者振り分け装置１０に入力された信号は、交換機インタフェース回路１５へと入力される。交換機インタフェース回路１５は入力された信号を加入者振り分け装置１０内で使用されている所定の形式の信号に変換して、スイッチインタフェース接続ハイウェイ２６へと出力する。スイッチインタフェース接続ハイウェイ２６へと出力された信号は、伝送されて交換機側スイッチインタフェース回路１４に入力される。交換機側スイッチインタフェース回路１４は、内部に有する交換機側集線スイッチ４２で複数の経路から入力された信号の多重化を行って出力する。交換機側集線スイッチ４２で多重化された信号は交換機側スイッチインタフェース回路１４から時分割スイッチ接続ハイウェイ２５へと出力される。
【００２１】
時分割スイッチ接続ハイウェイ２５へと出力された信号は、伝送されて時分割スイッチ１３に入力される。時分割スイッチ１３に信号が入力されると、第１のスイッチ部５１のスイッチ素子の切り替えにより、入力された信号に含まれるデータがメモリ部５２の各メモリ素子の記憶領域に保存される。メモリ部５２に１フレーム分の信号のデータが保存されると、制御部５２は第２のスイッチ部５３のスイッチ素子による経路の切り替えを制御して、メモリ部５２に保存されたデータの出力を行う。制御部５４はメモリ部５２に保存された各データの宛先を読み取り、宛先となる加入者収容装置３１ごとに割り当てられたタイムスロットに合うように保存されたデータのメモリ部５２からの出力を行う。制御部５４はメモリ部５２に保存された各データの宛先に対応するタイムスロットへの出力の順番が回ってきたときに、第２のスイッチ部５３を制御してメモリ部５２からのデータの出力を行う。
【００２２】
時分割スイッチ１３のメモリ部５２から出力されたデータにより構成される信号は、時分割スイッチ接続ハイウェイ２４へと出力される。時分割スイッチ接続ハイウェイ２４へと出力された信号は、伝送されて加入者側スイッチインタフェース回路１２に入力される。加入者側スイッチインタフェース回路１２に信号が入力されると、加入者側集線スイッチ４１は、入力された信号のタイムスロットごとにスイッチ素子を切り替えることにより入力された信号を分離して各経路に順に出力する。加入者集線スイッチ４１により各経路へと出力された信号は、スイッチインタフェース接続ハイウェイ２３へと出力される。スイッチインタフェース接続ハイウェイ２３へと出力された各信号は、それぞれ伝送されて加入者インタフェース回路１１へと入力される。加入者インタフェース回路１１に信号が入力されると、加入者インタフェース回路１１は信号を加入者収容装置３１との通信に用いる所定の信号に変換して出力する。加入者インタフェース回路１１から出力された信号は加入者装置対向ハイウェイ２１を介して加入者収容装置３１へと送られる。
【００２３】
図３を参照して加入者振り分け装置１０における信号の処理方法についてさらに詳細に説明する。図３は本実施形態の加入者振り分け装置１０に２台の交換機３２から信号が入力され、時分割スイッチ１３に信号が到達するまでの様子を示したものである。交換機３２のうち１台が交換機Ａ、もう１台が交換機Ｂであるとする。また、２つの交換機インタフェース回路１５のうち、交換機Ａからの信号が入力されるものが交換機インタフェース回路Ａ、交換機Ｂからの信号が入力されるものが交換機インタフェース回路Ｂであるとする。交換機３２から時分割スイッチ１３までの信号の経路のうち、交換機Ａおよび交換機インタフェース回路Ａを含む経路を第１の経路と呼ぶことにする。また、交換機３２から時分割スイッチ１３までの信号の経路のうち、交換機Ｂおよび交換機インタフェース回路Ｂを含む経路を第２の経路と呼ぶことにする。
【００２４】
第１の経路において、交換機Ａから交換機対向ハイウェイ２２を介して、交換機インタフェース回路Ａに、「Ｃ１、空き、Ｃ２、空き」の順でデータが含まれている信号が入力されたとする。また、同様に第２の経路において、交換機Ｂから交換機インタフェース回路Ｂに、「空き、空き、Ｄ１、Ｄ２」の順でデータが含まれている信号が入力されたとする。「Ｃ１」、「Ｃ２」、「Ｄ１」および「Ｄ２」はそれぞれタイムスロット１つを占有するデータであり、「空き」は該当するタイムスロットにデータが含まれていないことを示す。交換機インタフェース回路Ａおよび交換機インタフェース回路Ｂは入力された信号を所定の方式の信号に変換して、入力された信号の順番に出力する。交換機インタフェース回路Ａおよび交換機インタフェース回路Ｂから出力された信号はそれぞれスイッチインタフェース接続ハイウェイ２６を通り、交換機側スイッチインタフェース回路１４に入力される。
【００２５】
交換機側スイッチインタフェース回路１４の交換機側集線スイッチ４２は、２つの経路から入力された信号を多重化して１つの信号として出力する。交換機側集線スイッチ４２は、２つの経路から入力される信号のうち第１の経路から入力される信号のデータを出力できるようにスイッチ素子を切り替える。第１の経路の信号の最初のタイムスロットには「Ｃ１」のデータが含まれているので、交換機側集線スイッチ４２は「Ｃ１」のデータを出力する。次に、交換機側集線スイッチ４２は、第２の経路の最初のタイムスロットに含まれるデータが出力されるようにスイッチ素子を切り替える。しかし、第２の経路の最初のタイムスロットは「空き」状態でありデータが含まれていない。そのため、交換機側集線スイッチ４２はデータの出力を行わずに、次の順番である第１の経路の２番目のタイムスロットのデータを出力するようにスイッチ素子を切り替える。さらに、第１の経路の２番目のタイムスロットも「空き」状態であるため、交換機側集線スイッチ４２は、第２の経路の２番目のタイムスロットのデータを出力するようにスイッチ素子を切り替える。第２の経路の２番目のタイムスロットも「空き」状態であるため、交換機側集線スイッチ４２は第１の経路の３番目のタイムスロットのデータを出力するようにスイッチ素子を切り替える。
【００２６】
第１の経路の３番目のタイムスロットには「Ｃ２」のデータが含まれているため、交換機側集線スイッチ４２は「Ｃ２」のデータを出力する。次に、交換機側集線スイッチ４２は第２の経路の３番目のタイムスロットのデータを出力するようにスイッチ素子を切り替える。第２の経路の３番目のタイムスロットには「Ｄ１」のデータが含まれているので、交換機側集線スイッチ４２は「Ｄ１」のデータを出力する。次に、交換機側集線スイッチ４２は第１の経路の４番目のタイムスロットのデータを出力するようにスイッチ素子を切り替える。第１の経路の４番目のタイムスロットのデータは「空き」状態であるので、交換機側集線スイッチ４２は第２の経路の４番目のタイムスロットのデータを出力するようにスイッチ素子を切り替える。第２の経路の４番目のタイムスロットには「Ｄ２」のデータが含まれているので、交換機側集線スイッチ４２は「Ｄ２」のデータを出力する。以上の動作により交換機側集線スイッチ４２は「Ｃ１、Ｃ２、Ｄ１、Ｄ２」の順のデータを出力する。さらに、各経路から入力される信号がある場合には、交換機側集線スイッチ４２は以上の動作を繰り返す。
【００２７】
交換機側集線スイッチ４２から出力された「Ｃ１、Ｃ２、Ｄ１、Ｄ２」のデータから構成される信号は、交換機側スイッチインタフェース回路１４から時分割スイッチ接続ハイウェイ２５へと出力される。時分割スイッチ接続ハイウェイ２５へと出力された「Ｃ１、Ｃ２、Ｄ１、Ｄ２」のデータから構成される信号は時分割スイッチ１３へと入力される。
【００２８】
図４は交換機側集線スイッチを備えていない交換機側スイッチインタフェース回路１６を用いた場合における加入者振り分け装置での信号の流れについて示したものである。加入者集線スイッチを備えていないので、２つの時分割スイッチ接続ハイウェイ２７において「Ｃ１、空き、Ｃ２、空き」の信号と、「空き、空き、Ｄ１、Ｄ２」とがそれぞれ伝送される。交換機側集線スイッチを備えていない交換機側スイッチインタフェース回路１６を用いた場合は、加入者側集線スイッチによる複数の経路の信号の多重化を行っていないので、「空き」状態のタイムスロットが存在する可能性が高い。一方で、本実施形態においては、交換機側集線スイッチ４２は空き状態の各経路の信号において空き状態のタイムスロットがある場合は、他の経路の次の順番のタイムスロットに含まれるデータを出力する動作に移る。そのため、交換機側集線スイッチ４２から出力される信号には、空き状態のタイムスロットは存在しない。そのため、時分割スイッチ接続ハイウェイ２５において信号に含まれるデータ間に空き状態のない効率的な信号の伝送が可能となる。時分割スイッチ接続ハイウェイ２５において効率的な信号の伝送を行うことにより、接続される交換機３２の数が増えて、通信量が増えた場合においても、新たな時分割スイッチ接続ハイフェイ２５を増やさずに対応できる可能性が高くなる。
【００２９】
上記では交換機３２からの信号が加入者振り分け装置１０に入力され、加入者収容装置３１へと信号が伝送される際の動作について説明した。本実施形態の加入者振り分け措置１０は、信号が逆向きに伝送される場合、すなわち、加入者収容装置３１からの信号が入力されて、宛先に応じて振り分けられた信号が交換機３２へと伝送される場合にも用いることができる。
【００３０】
本実施形態の加入者振り分け装置は、時分割スイッチの入力側と出力側に集線スイッチを内部に有するインタフェース回路を備えている。このような構成とすることにより、時分割スイッチ接続ハイウェイにおける信号の伝送の効率を向上することができる。また、加入者数の増加や交換機との接続構成の組み替えにより入力される信号の経路が増えても、交換機側スイッチインタフェース回路および時分割スイッチ接続ハイウェイの数を増やす必要がない。よって、交換機等の追加の必要がある場合でも装置の大型化等を抑制して、ネットワーク構成の変更に対応することができる。
【００３１】
本発明の第２の実施形態について図を参照して詳細に説明する。図５は本実施形態の加入者振り分け装置の構成の概要を示したものである。第１の実施形態では交換機側集線スイッチを備える交換機側スイッチインタフェース回路を１つのみ備えていたが、本実施形態の加入者振り分け装置は交換機側スイッチインタフェース回路を複数備えている。
【００３２】
本実施形態の加入者振り分け装置６０は加入者インタフェース回路６１と、加入者側スイッチインタフェース回路６２と、時分割スイッチ６３と、第１の交換機側スイッチインタフェース回路６４とを備えている。また、本実施形態の加入者振り分け装置６０は、交換機インタフェース回路６５と、第２の交換機側スイッチインタフェース回路６６と、交換機インタフェース回路６７とをさらに備えている。加入者側スイッチインタフェース回路６２および交換機インタフェース回路６５は、それぞれ加入者収容装置３１または交換機３２の数に応じて複数備えられている。また、加入者インタフェース回路６１と加入者側スイッチインタフェース回路６２の間はスイッチインタフェース接続ハイウェイ２３で接続されている。加入者側スイッチインタフェース回路６２と時分割スイッチ６３の間は時分割スイッチ接続ハイウェイ２４で接続されている。時分割スイッチ６３と第１の交換機側スイッチインタフェース回路６４の間は時分割スイッチ接続ハイウェイ２５で接続されている。第１の交換機側スイッチインタフェース回路６４と交換機インタフェース回路６５はスイッチインタフェース接続ハイウェイ２６で接続されている。第１の交換機側スイッチインタフェース回路６４と第２の交換機側スイッチインタフェース回路６６の間はスイッチインタフェース間接続ハイウェイ２８で接続されている。第２の交換機側スイッチインタフェース回路６６と交換機インタフェース回路６７の間はスイッチインタフェース接続ハイウェイ２９で接続されている。
【００３３】
加入者インタフェース回路６１は、加入者装置対向ハイウェイ２１を介して加入者収容装置３１と接続している。また、交換機インタフェース回路６５は交換機対向ハイウェイ２２を介して交換機３２と接続している。交換機インタフェース回路６７は交換機対向ハイウェイ３０を介して交換機３３と接続している。また、各ハイウェイは時分割多重化された信号を伝送する機能を有する。
【００３４】
本実施形態の加入者インタフェース回路６１と、加入者側スイッチインタフェース回路６２と、時分割スイッチ６３と、交換機インタフェース回路６５、交換機インタフェース回路６７の構成および機能は第１の実施形態の同一名称の部位と同様である。また、第１の交換機側スイッチインタフェース回路６４および第２の交換機側スイッチインタフェース回路６６は第１の実施形態の交換機側スイッチインタフェース回路と構成および機能は同様である。
【００３５】
交換機３２からの信号が加入者振り分け装置６０に入力され、加入者振り分け装置６０内で宛先に応じて振り分けられる際の動作について説明する。交換機３２からの信号の経路、すなわち第２の交換機インタフェース回路６６を介さずに第１の交換機インタフェース回路６４に入力される経路での信号の伝送方法は第１の実施形態と同様である。次に、第２の交換機インタフェース回路６６を通る経路での信号の伝送方法について説明する。
【００３６】
交換機３３から交換機対向ハイウェイ３０を介して、交換機インタフェース回路６７に信号が入力されたとする。交換機インタフェース回路６７に入力された信号は、加入者振り分け装置６０内で使用される所定の信号に変換されて出力される。交換機インタフェース回路６７から出力された信号は、スイッチインタフェース接続ハイウェイ２９を介して、第２のスイッチインタフェース回路６６に入力される。第２のスイッチインタフェース回路６６に入力された信号は交換機側集線スイッチ４３で多重化され１つの信号として出力される。交換機側集線スイッチ４３での多重化は第１の実施形態のスイッチインタフェース回路における場合と同様の方法により行われる。第２のスイッチインタフェース回路６６に入力される信号の経路が１つである場合に、各タイムスロットにデータが存在するときは、入力された信号と出力される信号のデータの並び順とは変化しない。入力される信号の経路が１つであるときに、入力される信号に空き状態のタイムスロットがある場合、空き状態のタイムスロットよりも後のタイムスロットのデータが繰り上げられて出力される。
【００３７】
交換機側集線スイッチ４３から出力された信号は第２の交換機側スイッチインタフェース回路６６からスイッチインタフェース間接続ハイウェイ２８へと出力される。スイッチインタフェース間接続ハイウェイ２８へと出力された信号は、伝送されて第１の交換機側スイッチインタフェース回路６４に入力される。第１の交換機側スイッチインタフェース回路６４に信号が入力されると、他の経路から入力された信号とともに交換機側集線スイッチ４２により多重化されて１つの信号として出力される。交換機側集線スイッチ４２は第１の実施形態の交換機側スイッチインタフェース回路の交換機側集線スイッチと同様の動作により、複数の経路から入力された信号を多重化して１つの信号として出力する。交換機側集線スイッチ４２から出力された信号は第１の交換機側スイッチインタフェース回路６４から時分割スイッチ接続ハイウェイ２５へと出力される。時分割スイッチ接続ハイウェイ２５へ出力された信号は、伝送されて時分割スイッチ６３へと入力される。時分割スイッチ６３に入力された後の動作は第１の実施形態と同様である。
【００３８】
上記では交換機３２および交換機３３からの信号が加入者振り分け装置６０に入力され、加入者収容装置３１へと信号が伝送される際の動作について説明した。本実施形態の加入者振り分け措置６０は、信号が逆向きに伝送される場合、すなわち、加入者収容装置３１からの信号が入力されて、宛先に応じて振り分けられた信号が交換機３２または交換機３３へと伝送される場合にも用いることができる。
【００３９】
本実施形態の加入者振り分け装置では集線スイッチを有する交換機側スイッチ接続インタフェース回路を多段的に接続している。そのため、交換機側から加入者振り分け装置に入力される信号の経路が増えた場合においても、時分割スイッチよりも交換機側の時分割スイッチ接続ハイウェイを新たに増やさずに対応できる。その結果、交換機等の追加があった場合でも、時分割スイッチ接続ハイウェイ等を増やすことによる装置の大型化等を抑制することができる。
【００４０】
第１または第２の実施形態において、交換機と交換機側集線スイッチの間で試験信号の送受信を行えるような構成とすることもできる。その場合、交換機は空き状態のタイムスロットに試験信号を挿入して、加入者振り分け装置へと送信する。加入者振り分け装置の交換機側集線スイッチは試験信号を受け取ると、交換機に試験信号を返送する、交換機は返送されてきた試験信号を基に通信回線や通信の異常の有無を判断する。このような、構成とすることにより、交換機と加入者振り分け装置との間の異常の有無の検出が可能となるため、異常への対処を素早く行うことができ通信の信頼性を高めることができる。
【００４１】
本発明の第３の実施形態について図を参照して詳細に説明する。図６は本実施形態の加入者振り分け装置の構成の概要を示したものである。本実施形態の加入者振り分け装置は、第１のスイッチ手段７１と、時分割スイッチ手段７２と、第２のスイッチ手段７３とを備えている。第１のスイッチ手段７１は、交換機側の複数の入力経路から入力される信号に含まれる各データに割り当てられているタイムスロットを変換した上で１つの信号にして第１のハイウェイに出力する。時分割スイッチ手段７２は、第１のハイウェイを介して入力される信号を分離し、分離した前記信号に含まれるデータの順番を所定の順番に並び替えて多重化して第２のハイウェイへと出力する。第２のスイッチ手段７３は、第２のハイウェイを介して入力される信号を分離して加入者収容装置側の各経路へと出力する。
【００４２】
本実施形態の加入者振り分け装置では、交換機側の複数の経路から入力される信号を第１のスイッチ手段７１で多重化した後に時分割スイッチ手段７２に入力している。そのため、第１のスイッチ手段７１と時分割スイッチ手段７２の間の信号の伝送を効率化できる。その結果、信号の入力経路が増えた場合でも、第１のスイッチ手段７１と時分割スイッチ手段７２の間に新たな経路の設置は不要となり、回線や回路の追加による装置の大型化や費用の増大を抑制することができる。
【産業上の利用可能性】
【００４３】
本発明は、通信システムに用いることができ、特に通話システム等の通信システムに用いることができる。
【符号の説明】
【００４４】
１０    加入者振り分け装置
１１    加入者インタフェース回路
１２    加入者側スイッチインタフェース回路
１３    時分割スイッチ
１４    交換機側スイッチインタフェース回路
１５    交換機インタフェース回路
２１    加入者装置対向ハイウェイ
２２    交換機対向ハイウェイ
２３    スイッチインタフェース接続ハイウェイ
２４    時分割スイッチ接続ハイウェイ
２５    時分割スイッチ接続ハイウェイ
２６    スイッチインタフェース接続ハイウェイ
２７    時分割スイッチ接続ハイウェイ
２８    スイッチインタフェース間接続ハイウェイ
２９    スイッチインタフェース接続ハイウェイ
３０    交換機対向ハイウェイ
３１    加入者収容装置
３２    交換機
３３    交換機
４１    加入者側集線スイッチ
４２    交換機側集線スイッチ
４３    交換機側集線スイッチ
５１    第１のスイッチ部
５２    メモリ部
５３    第２のスイッチ部
５４    制御部
６０    加入者振り分け装置
６１    加入者インタフェース回路
６２    加入者側スイッチインタフェース回路
６３    時分割スイッチ
６４    第１の交換機側スイッチインタフェース回路
６５    交換機インタフェース回路
６６    第２の交換機側スイッチインタフェース回路
６７    交換機インタフェース回路
７１    第１のスイッチ手段
７２    時分割スイッチ手段
７３    第２のスイッチ手段
【図１】
2015019208.tif 000003
【図２】
2015019208.tif 000004
【図３】
2015019208.tif 000005
【図４】
2015019208.tif 000006
【図５】
2015019208.tif 000007
【図６】
2015019208.tif 000008